(57)【要約】【課題】  ＩＰ電話サービスの品質条件に応じた品質制御を実現し、通信中のパケットを廃棄することなく音声品質を保つことが可能なＩＰ電話網における呼制御方法、ＩＰ電話システム、ルータ及び呼制御プログラムを提供する。【解決手段】  転送系システム１０４，１５４を構成するルータ１１９，１６９が、呼制御プロトコルによる信号のパケットを受信して通話呼を認識し、ルータ１１９，１６９の信号解析機能部が、信号を解析してデータベース１３０−１〜１３０−４，１８０−１，１８０−２を参照し、優先順位を規定する優先呼パラメータを求め、ルーチング処理部が、当該優先呼パラメータの値に基づいてパケットを廃棄する等の処理を行う。【選択図】  図６
2005328223.tif 000002
【特許請求の範囲】
【請求項１】
音声通信を確立するための呼制御サーバを含む呼制御系システムと、ルータ及びスイッチを含む転送系システムとを備えたＩＰ網の下で、ＶｏＩＰを用いて音声情報を転送しＩＰ電話を実現するシステムにおいる前記ルータによる呼制御方法であって、
呼制御プロトコルによる信号のパケットを受信するステップと、前記受信したパケットの信号を分析するステップと、当該分析により分析結果を生成するステップと、当該分析結果に基づいて前記パケットを転送するステップとを有するルータによる呼制御方法。
【請求項２】
請求項１に記載の呼制御方法において、
前記分析ステップを、受信したパケットの信号の種別情報、発信元及び着信先を特定するための番号情報、Ｃａｌｌ  ＩＤ、及び呼の緊急度情報のうちの少なくとも一つの情報に基づいて、当該信号を分析するステップとすることを特徴とする呼制御方法。
【請求項３】
請求項１または２に記載の呼制御方法において、
前記分析結果を、受信したパケットを転送するための優先順位とすることを特徴とする呼制御方法。
【請求項４】
請求項１から３までのいずれか一項に記載の呼制御方法において、
前記ＩＰ網は、呼制御サーバ、ルータ及びスイッチとは異なる他の通信装置を備え、
当該他の通信装置が、前記パケットの受信、信号の分析、分析結果の生成及びパケットの転送のうちの少なくとも一つを行い、前記ルータと他の通信装置とが連携することを特徴とするルータ及び他の通信装置による呼制御方法。
【請求項５】
音声通信を確立するための呼制御サーバを含む呼制御系システムと、ルータ及びスイッチを含む転送系システムとを備えたＩＰ網の下で、ＶｏＩＰを用いて音声情報を転送しＩＰ電話を実現するシステムにおいて、
前記ルータは、呼制御プロトコルによる信号のパケットを受信する受信部と、前記受信したパケットの信号を分析する分析部と、当該分析により分析結果を生成する結果生成部と、当該分析結果に基づいて前記パケットを転送する転送部とを備えたことを特徴とするＩＰ電話システム。
【請求項６】
音声通信を確立するための呼制御サーバを含む呼制御系システムと、ルータ及びスイッチを含む転送系システムとを備えたＩＰ網の下で、ＶｏＩＰを用いて音声情報を転送しＩＰ電話を実現するシステムにおける前記ルータであって、
呼制御プロトコルによる信号のパケットを受信する受信部と、前記受信したパケットの信号を分析する分析部と、当該分析により分析結果を生成する結果生成部と、当該分析結果に基づいて前記パケットを転送する転送部とを有するルータ。
【請求項７】
請求項６に記載のルータにおいて、
前記分析部は、受信したパケットの信号の種別情報、発信元及び着信先を特定するための番号情報、Ｃａｌｌ  ＩＤ、及び呼の緊急度情報のうちの少なくとも一つの情報に基づいて、当該信号を分析することを特徴とするルータ。
【請求項８】
請求項６または７に記載のルータにおいて、
前記分析結果を、受信したパケットを転送するための優先順位とすることを特徴とするルータ。
【請求項９】
請求項６から８までのいずれか一項に記載のルータにおいて、
前記ＩＰ網は、呼制御サーバ、当該ルータ及びスイッチとは異なる他の通信装置を備え、
当該他の通信装置は、前記受信部、分析部、結果生成部及び転送部のうちの少なくとも一つを備え、他の通信装置と共に連携することを特徴とするルータ。
【請求項１０】
音声通信を確立するための呼制御サーバを含む呼制御系システムと、ルータ及びスイッチを含む転送系システムとを備えたＩＰ網の下で、ＶｏＩＰを用いて音声情報を転送しＩＰ電話を実現するシステムにおいて、前記ルータを構成するコンピュータに実行させる呼制御プログラムであって、
呼制御プロトコルによる信号のパケットを受信する処理と、前記受信したパケットの信号を分析する処理と、当該分析により分析結果を生成する処理と、当該分析結果に基づいて前記パケットを転送する処理とを実行させることを特徴とする呼制御プログラム。
【発明の詳細な説明】
【技術分野】
【０００１】
本発明は、ＩＰ（Ｉｎｔｅｒｎｅｔ  Ｐｒｏｔｏｃｏｌ）電話網において、ルータやスイッチ等により構成される転送系システムの通話呼制御技術に関するものである。
【背景技術】
【０００２】
従来、インターネット等のＩＰ網と公衆電話交換網であるＰＳＴＮ（Ｐｕｂｌｉｃ  Ｓｗｉｔｃｈｅｄ  Ｔｅｌｅｐｈｏｎｅ  Ｎｅｔｗｏｒｋ）網とを接続した構成の下で、呼制御プロトコルを用いて音声通信を確立し、音声データをＩＰパケットとして送受信することにより音声通信を可能にしたサービスが提供されている。図１は、呼制御プロトコルとしてＳＩＰ（Ｓｅｓｓｉｏｎ  Ｉｎｉｔｉａｔｉｏｎ  Ｐｒｏｔｏｃｏｌ）を用いた一般的なＩＰ電話システムの構成を示す概略図である。このＩＰ電話システム２０は、加入者宅５に設けられた加入者Ａ電話機１７、当該加入者Ａ電話機１７に接続されるＭＧ（Ｍｅｄｉａ  Ｇａｔｅｗａｙ／メディアゲートウェイ）またはＦＷ（Ｆｉｒｅ  Ｗａｌｌ／ファイアウォール）１４、ＭＧ１５、ルータ１９−１〜１９−６（以下、総称して１９）、ＣＡ（ＧＷ）（Ｃａｌｌ  Ａｇｅｎｔ／コールエージェントのゲートウェイサーバ）１１、ＣＡ（ＳＳ）（ＣＡのＳＩＰサーバ）１２、アドレス情報サーバ１３、ＰＳＴＮ網１に設けられたＮＥ（Ｎｅｔｗｏｒｋ  Ｅｌｅｍｅｎｔ／ネットワークエレメント）１６及びＰＳＴＮ電話機１８を備えている。また、ＩＰ網２は、呼制御系システム３、転送系システム４及びＭＧ１４，１５を備えている。呼制御系システム３は、ＣＡ（ＧＷ）１１、ＣＡ（ＳＳ）１２及びアドレス情報サーバ１３を備え、転送系システム４は、ＩＰアドレス、ラベルまたはテーブルに従ってＩＰパケットの交換を行うルータ１９を備えている。
【０００３】
呼制御系システム３のＣＡ（ＧＷ）１１及びＣＡ（ＳＳ）１２は、ＰＳＴＮ網１に接続されたＰＳＴＮ電話機１８やＩＰ網２に接続された加入者Ａ電話機１７からの要求に従った呼制御により、電話番号の翻訳やルーチング設定等を行う。ＣＡ（ＧＷ）１１は、自網であるＩＰ網２と他網であるＰＳＴＮ網１との間でＩＳＵＰ（ＩＳＤＮ  Ｕｓｅｒ  Ｐａｒｔ）信号をインターワークし、ファイアウォールの機能を有する。また、アドレス情報サーバ１３は、ＣＡ（ＧＷ）１１及びＣＡ（ＳＳ）１２による呼のルーチング及び設定のために用いる加入者の電話番号、ＩＰアドレス、住所等を格納する。
【０００４】
図２は、図１に示したＩＰ電話システム２０における呼制御の動作フロー図である。本動作フロー図は、加入者Ａ電話機１７、ＣＡ（ＳＳ）１２、ＣＡ（ＧＷ）１１及びＮＥ１６の間における呼制御を具体的に示している。図２に示したように、従来のＩＰ電話システム２０では、ＣＡ（ＳＳ）１２及びＣＡ（ＧＷ）１１が、加入者Ａ電話機１７からの発呼パケットのＩＮＶＩＴＥ信号を認識することによって呼制御を開始する。一方、転送系システム４のルータ１９は、発呼パケットによって呼を認識することなく、ＩＰやＭＰＬＳ（Ｍｕｌｔｉｐｒｏｔｏｃｏｌ  Ｌａｂｅｌ  Ｓｗｉｃｈｉｎｇ）等のルーチングプロトコルによりパケットの転送を行っているにすぎない。
【０００５】
図３は、呼制御プロトコルとしてＭＥＧＡＣＯ（Ｍｅｄｉａ  Ｇａｔｅｗａｙ  Ｃｏｎｔｒｏｌ  Ｐｒｏｔｏｃｏｌ）を用いた一般的なＩＰ電話システムの構成を示す概略図である。このＩＰ電話システム７０は、加入者宅５５に設けられた加入者Ａ電話機６７、当該加入者Ａ電話機６７に接続されるＲＧＷ（Ｒｅｓｉｄｅｎｔｉａｌ  Ｇａｔｅｗａｙ／レジデンシャルゲートウェイ）６４、ＴＧＷ（Ｔｒｕｎｋｉｎｇ  Ｇａｔｅｗａｙ／トランキングゲートウェイ）６５、ルータ６９−１〜６９−６（以下、総称して６９）、ＭＧＣ（Ｍｅｄｉａ  Ｇａｔｅｗａｙ  Ｃｏｎｔｒｏｌｌｏｒ／メディアゲートウェイコントローラ）６１、ＰＳＴＮ網５１に設けられたＮＥ６６及びＰＳＴＮ電話機６８を備えている。また、ＩＰ網５２は、呼制御系システム５３、転送系システム５４、ＲＧＷ６４及びＴＧＷ６５を備えている。呼制御系システム５３は、ＭＧＣ６１を備え、転送系システム５４は、ＩＰアドレス、ラベルまたはテーブルに従ってＩＰパケットの交換を行うルータ６９を備えている。
【０００６】
図４は、図３に示したＩＰ電話システム７０における呼制御の動作フロー図である。本動作フロー図は、加入者Ａ電話機６７、ＲＧＷ６４、ＭＧＣ６１、ＴＧＷ６５、ＮＥ６６及びＰＳＴＮ電話機６８の間における呼制御を具体的に示している。図４に示すように、従来のＩＰ電話システム７０では、ＭＧＣ６１が、加入者Ａ電話機６７からの発呼パケットのＮｏｔｉｆｙ信号を認識することによって、呼制御を開始する。一方、転送系システム５４のルータ６９は、発呼パケットによって呼を認識することなく、ＩＰやＭＰＬＳ等のルーチングプロトコルによりパケットの転送を行っているにすぎない。
【０００７】
このように、従来のＩＰ電話システム２０，７０において、前述したＳＩＰ及びＭＥＧＡＣＯやＭＧＣＰ（Ｍｅｄｉａ  Ｇａｔｅｗａｙ  Ｃｏｎｔｒｏｌ  Ｐｒｏｔｏｃｏｌ）等の各種シグナリングにより、ＣＡ（ＧＷ）１１，ＣＡ（ＳＳ）１２やＭＧＣ６１が呼を認識し、呼制御を開始する。この場合、転送系システム４，５４は、呼を認識する機能を有していない（非特許文献１を参照）。
【０００８】
【非特許文献１】千村保文、外１名、「ＩＤＧ情報通信シリーズ  ＳＩＰ教科書」、株式会社ＩＤＧジャパン、２００３年５月２日、ｐ．３３−３５
【発明の開示】
【発明が解決しようとする課題】
【０００９】
つまり、従来のＩＰ電話システム２０，７０では、ＣＡ（ＧＷ）１１、ＣＡ（ＳＳ）１２やＭＧＣ６１が発呼パケットの呼を認識していた。このため、加入者Ａ電話機１７，６７がＩＰ電話による通信を要求してからＣＡ（ＧＷ）１１及びＣＡ（ＳＳ）１２にＩＮＶＩＴＥ信号が到達するまでの間、またはＭＧＣ６１にＮｏｔｉｆｙ信号が到達するまでの間、ルータ１９，６９は、呼を認識した状態制御を行うことができず、優先すべき呼を受信しても、他の呼と同等のルーチング処理を行わざるを得ない状態になっていた。例えば、多量の呼が発生した場合であっても、ルータ１９，６９は、ＣＡ（ＧＷ）１１、ＣＡ（ＳＳ）１２またはＭＧＣ６１までの間の通信網において、一律のパケット転送を行わざるを得なかった。
【００１０】
一方、ルータ１９，６９は、Ｄｉｆｆｓｅｒｖ（Ｄｉｆｆｅｒｅｎｔｉａｌ  Ｓｅｒｖｉｃｅｓ）等を用いてパケット送信の優先制御を行う。図５は、ルータ１９，６９における優先制御を説明する概略図である。この優先制御は、パケットにおけるＩＰアドレスやＩＰヘッダ内のＴｏＳ（Ｔｙｐｅ  ｏｆ  Ｓｅｒｖｉｃｅ）値等を参照して行う制御であり、パケット単位に優先または非優先に区別するものである。また、ＩＰ電話サービスで規定される優先度は、パケットのサービス種別を表すＴｏＳ値とは対応付けられていない。このため、ルータ１９，６９が呼単位に優先制御することは不可能であった。
【００１１】
そこで、本発明は、上記の課題を解決するためになされたものであり、その目的は、ルータやスイッチ等により構成される転送系システムにおいて、ＩＰ電話サービスの品質条件に応じた品質制御を実現し、通信中のパケットを廃棄することなく音声品質を保つことが可能なＩＰ電話網における呼制御方法、ＩＰ電話システム、ルータ及び呼制御プログラムを提供することにある。
【課題を解決するための手段】
【００１２】
本発明の呼制御方法、ＩＰ電話システム及びルータは、音声通信を確立するための呼制御サーバを含む呼制御系システムと、ルータ及びスイッチを含む転送系システムとを備えたＩＰ網の下で、ＶｏＩＰを用いて音声情報を転送しＩＰ電話を実現するシステムにおいて、ルータは、受信部、分析部、結果生成部及び転送部を備え、受信部が呼制御プロトコルによる信号のパケットを受信し、分析部が前記受信したパケットの信号を分析し、結果生成部が当該分析により分析結果を生成し、転送部が当該分析結果に基づいて前記パケットを転送することを特徴とする。
【００１３】
また、本発明の呼制御方法及びルータは、前記分析部が、受信したパケットの信号の種別情報、発信元及び着信先を特定するための番号情報、Ｃａｌｌ  ＩＤ、及び呼の緊急度情報のうちの少なくとも一つの情報に基づいて、当該信号を分析することを特徴とする。
【００１４】
また、本発明の呼制御方法及びルータは、前記分析結果を、受信したパケットを転送するための優先順位とすることを特徴とする。また、前記ＩＰ網は、呼制御サーバ、ルータ及びスイッチとは異なる他の通信装置を備え、当該他の通信装置が、前記パケットの受信、信号の分析、分析結果の生成及びパケットの転送のうちの少なくとも一つを行い、前記ルータと他の通信装置とが連携することを特徴とする。
【００１５】
また、本発明の呼制御プログラムは、音声通信を確立するための呼制御サーバを含む呼制御系システムと、ルータ及びスイッチを含む転送系システムとを備えたＩＰ網の下で、ＶｏＩＰを用いて音声情報を転送しＩＰ電話を実現するシステムにおいて、前記ルータを構成するコンピュータに実行させる呼制御プログラムであって、呼制御プロトコルによる信号のパケットを受信する処理と、前記受信したパケットの信号を分析する処理と、当該分析により分析結果を生成する処理と、当該分析結果に基づいて前記パケットを転送する処理とを実行させることを特徴とする。
【発明の効果】
【００１６】
以上のように、本発明によれば、転送系システムが呼制御プロトコルによる信号のパケットを受信し、当該信号を分析し、優先順位を生成し、優先順位に基づいて当該パケットを転送するようにしたから、ＩＰ電話サービスの品質条件に応じた品質制御を実現でき、通信中のパケットを廃棄することなく音声品質を保つことが可能となる。
【発明を実施するための最良の形態】
【００１７】
以下、本発明の実施の形態について、図面を用いて詳細に説明する。
図６は、ＳＩＰを用いた場合における、本発明の実施の形態に係るＩＰ電話システムの構成を示す概略図である。本ＩＰ電話システム１２０は、加入者宅１０５に設けられた加入者Ａ電話機１１７と、当該加入者Ａ電話機１１７に接続されるＭＧ１１４，１１５と、転送系システム１０４を構成するルータ１１９−１〜１１９−６（以下、総称して１１９）と、呼制御系システム１０３を構成するＣＡ（ＧＷ）１１１、ＣＡ（ＳＳ）１１２及びアドレス情報サーバ１３と、ＰＳＴＮ網１０１に設けられたＮＥ１１６及びＰＳＴＮ電話機１１８とを備えている。また、ＩＰ網１０２は、呼制御系システム１０３、転送系システム１０４及びＭＧまたはＦＷ１１４，１１５を備えている。本ＩＰ電話システム１２０は、図１に示したＩＰ電話システム２０と同等に構成されているが、ルータ１１９が、本発明の通話呼認識を実現し、当該通話呼認識を用いた呼制御を実現する機能を有する点で、図１に示したルータ１９と異なる。それ以外の装置は同等の機能を有する。
【００１８】
ルータ１１９は、ＳＩＰプロトコルやＭＥＧＡＣＯプロトコル等による呼を認識し、当該呼を解析する信号解析機能部と、呼の解析のために用いる各種データが格納されたデータベース１３０−１〜１３０−４と、優先順位（優先度）に従って呼のルーチング処理や廃棄処理等を行うルーチング処理部とを有する。図６に示したように、ルータ１１９−１は、ＩＮＶＩＴＥ信号等のＳＩＰプロトコルによる信号を認識し、当該信号内のパラメータやデータベース１３０−１〜１３０−４によって呼の振り分けを行う。通常時は全ての呼を通過させるが、輻輳時は受信した呼が優先呼である場合は通過させ、非優先呼である場合は当該呼を廃棄する。ＲＥＧＩＳＴＥＲ信号やＢＹＥ信号を認識した場合も同様な制御が可能である。
【００１９】
具体的には、ルータ１１９の信号解析機能部は、ＩＮＶＩＴＥ、ＲＥＧＩＳＴＥＲ、ＢＹＥ等の信号を認識し、ＩＮＶＩＴＥ信号の場合には、当該信号から発信番号及び着信番号を割り出す。そして、信号解析機能部は、発信番号、着信番号、信号種別、Ｃａｌｌ  ＩＤや当該信号内の種々のパラメータに基づいて、データベース１３０−１〜１３０−４に格納されたデータを参照し、優先度である優先呼パラメータを求め、優先すべき優先呼と優先すべきでない一般呼とに分類する。例えば、１１０や１１９のような呼は最優先の優先呼とするように、複数の優先順位を設ける。このように、信号解析機能部は、信号分析により、信号種別や信号内の各種パラメータを用いてデータベース１３０−１〜１３０−４を参照し、優先順位付けを行う。
【００２０】
図７は、図６に示したルータ１１９−１に備えたデータベース１３０−１〜１３０−４を説明する図である。データベース１３０−１は、発信者及び着信者毎に優先度が割り当てられている表である。発信者のアドレス及び優先度（０〜３）、着信者のアドレス及び優先度（０，１）がそれぞれ対応して定義されている。データベース１３０−２は、発信者及び着信者の組み合わせ毎に優先度が割り当てられている表である。データベース１３０−１により発信者及び着信者毎に割り当てられた優先度を用いて、優先度のクラス（ＥＦ，ＡＦ１，ＡＦ２，ＢＥ）が決定される。データベース１３０−３は、信号種別毎に優先度が割り当てられている表である。例えば、信号種別がＢＹＥの場合は、優先度を一つ上げるように定義されている。データベース１３０−４は、ＩＮＶＩＴＥ信号におけるオプション部のプライオリティにより優先度を判定する表である。例えば、プライオリティがｅｍｅｒｇｅｎｃｙの場合はＥＦの優先度クラスとなる。信号解析機能部は、これらのデータベース１３０−１〜１３−４を参照し、総合的に判断して優先度を決定する。例えば、信号解析機能部が優先度をＢＥと決定した場合には、ルーチング処理は当該発呼パケットを廃棄する。
【００２１】
図８は、ＭＥＧＡＣＯを用いた場合における、本発明の実施の形態に係るＩＰ電話システムの構成を示す概略図である。本ＩＰ電話システム１７０は、加入者宅１５５に設けられた加入者Ａ電話機１６７と、当該加入者Ａ電話機１６７に接続されるＲＧＷ１６４と、転送系システム１５４を構成するルータ１６９−１〜１６９−６（以下、総称して１６９）と、呼制御系システム１５３を構成するＭＧＣ１６１と、ＰＳＴＮ網１５１に設けられたＮＥ１６６及びＰＳＴＮ電話機１６８と、当該ＮＥ１６６に接続されるＴＧＷ１６５とを備えている。また、ＩＰ網１５２は、呼制御系システム１５３、転送系システム１５４、ＲＧＷ１６４及びＴＧＷ１６５を備えている。本ＩＰ電話システム１７０は、図３に示したＩＰ電話システム７０と同等に構成されているが、ルータ１６９が、本発明の通話呼認識を実現し、当該通話呼認識を用いた呼制御を実現する機能を有する点で、図３に示したルータ６９と異なる。それ以外の装置は同等の機能を有する。
【００２２】
ルータ１６９は、ＭＥＧＡＣＯプロトコルによる呼を認識し、当該呼を解析する信号解析機能部と、呼の解析のために用いる各種データが格納されたデータベース１８０−１，１８０−２と、優先順位に従って呼のルーチング処理や廃棄処理等を行うルーチング処理部とを有する。図８に示したように、ルータ１６９−１は、Ｎｏｔｉｆｙ信号等のＭＥＧＡＣＯプロトコルの信号を認識し、当該信号内のパラメータ及びデータベース１８０−１，１８０−２によって呼の振り分けを行う。通常時は全ての呼を通過させるが、輻輳時は受信した呼が優先呼である場合は通過させ、非優先呼である場合は当該呼を廃棄する。Ｓｕｂｔｒａｃｔ信号を認識した場合も同様である。
【００２３】
具体的には、ルータ１６９の信号解析機能部は、Ｎｏｔｉｆｙ、Ｓｕｂｔｒａｃｔ等の信号を認識し、Ｎｏｔｉｆｙ信号の場合には、当該信号から発電話番号及び着電話番号を割り出す。そして、信号解析機能部は、これらの番号番号、信号種別、当該信号内のパラメータ等に基づいて、データベース１８０−１，１８０−２に格納されたデータを参照し、優先度である優先呼パラメータを求め、優先すべき優先呼と優先すべきでない一般呼とに分類する。
【００２４】
図９は、図８に示したルータ１６９−１に備えたデータベース１８０−１，１８０−２を説明する図である。データベース１８０−１は、発信者及び着信者毎に優先度が割り当てられている表である。発信者の電話番号及び優先度（０〜３）、着信者の電話番号及び優先度（０，１）がそれぞれ対応して定義されている。データベース１８０−２は、発信者及び着信者の組み合わせ毎に優先度が割り当てられている表である。データベース１８０−１により発信者及び着信者毎に割り当てられた優先度を用いて、優先度のクラス（ＥＦ，ＡＦ１，ＡＦ２，ＢＥ）が決定される。信号解析機能部は、これらのデータベース１８０−１，１８０−２を参照し、総合的に判断して優先度を決定する。
【００２５】
次に、図６に示したＩＰ電話システム１２０及び図８に示したＩＰ電話システム１７０の呼制御手順について説明する。
１）発信端末である加入者Ａ電話機１１７，１６７が発呼すると、加入者Ａ電話機１１７，１６７は、ＳＩＰまたはＭＥＧＡＣＯの呼制御プロトコルによる信号を付与する。この場合、加入者Ａ電話機１１７とＭＧ１１４との間または加入者Ａ電話機１６７とＲＧＷ１６４との間のＰＢＸまたは中継装置（図示せず）が呼制御プロトコルによる信号を付与することもある。
２）ルータ１１９−１，１６９−１が発呼パケットを受信すると、信号解析機能部は、発呼パケットの信号種別（ＩＮＶＩＴＥ信号，ＢＹＥ信号等）を認識し、その信号種別が発呼信号（ＩＮＶＩＴＥ信号，ｎｏｔｉｆｙ信号）であるか否かを判断する。
【００２６】
発呼信号であると判断した場合には、以下の手順で処理を実行する。
３）信号解析機能部は、発呼信号から発信者アドレス及び着信者アドレス、または発信番号及び着信番号を割り出し、信号種別や内容等を分析し、事前に登録してあるデータベース１３０−１〜１３０−４、またはデータベース１８０−１，１８０−２のデータを照合して優先度を求める。この優先度を優先呼パラメータとして、発呼信号のＩＰヘッダのトラヒッククラス（サービス種別を表すＴｏＳ値）に設定する。
４）ルータ１１９−１，１６９−１が、自身の装置状態や回線使用状況から輻輳状態であると判断した場合や、他の手法によりＣＡ（ＳＳ）１１２，ＭＧ１１４，ＦＷ等の関連装置から輻輳状態である旨の通知を受けた場合には、ルーチング処理部は、信号解析機能部により一般呼と判断された呼や新規登録呼の発呼パケットを廃棄する。
【００２７】
そして、発呼パケットは、ルータ１１９−１，１６９−１からＣＡ（ＳＳ）１１２及びＣＡ（ＧＷ）１１１またはＭＧＣ１６１へ転送される。
５）ＣＡ（ＳＳ）１１２またはＭＧＣ１６１は、発呼パケットを受信すると、信号分析及びサービス分析を行い、アドレス情報サーバ１３に格納されたアドレス情報を参照し、ＩＰアドレスを設定して所定の着信先へ発呼パケットを送信する。
６）ルータ１１９，１６９は、設定されたＩＰアドレス及び優先呼パラメータに従って、着信先へ発呼パケットのルーチングを行う。
７）着信先であるＰＳＴＮ電話機１１８，１６８側のルータ１１９−６，１６９−６に発呼パケットが転送されると、当該ルータ１１９−６，１６９−６は、優先呼パラメータを外してユーザに見えないようにし、着信端末であるＰＳＴＮ電話機１１８，１６８へ呼の接続要求を行う。この場合、発呼パケットに設定された優先呼パラメータは、ＩＰ網１０２，１５２内でのみ取り扱われる情報であるため、ＰＳＴＮ網１０１，１５１内の装置が当該優先呼パラメータに対して細工できないように、所定の仕組みを施すことが可能なときには、優先呼パラメータの取り外しは不要である。
８）着信端末であるＰＳＴＮ電話機１１８が呼の接続要求信号を受信すると、Ｕプレーン信号の送受信を開始する。
９）ルータ１１９，１６９は、発着信端末である加入者Ａ電話機１１７，１６７及びＰＳＴＮ電話機１１８，１６８から送信されたＵプレーン信号を受信したときも、同様に優先呼パラメータを当該信号のパケットに設定し転送する。
１０）呼出音が送信され、発信端末である加入者Ａ電話機１１７，１６７がその呼出音を受信し、着信端末のＰＳＴＮ電話機１１８，１６８で受話器が上げられると通信中になる。
１１）加入者Ａ電話機１１７，１６７、ＰＳＴＮ電話機１１８，１６８において、受話器が下ろされて通話が終了すると、ルータ１１９，１６９は、切断信号を優先的に転送し、ＣＡ（ＳＳ）１１２、ＣＡ（ＧＷ）１１１、ＭＧＣ１６１は呼接続を終了する。以上で通話は終了する。
【００２８】
以上のように、本発明の実施の形態によれば、ＣＡ（ＧＷ）１１１、ＣＡ（ＳＳ）１１２やＭＧＣ１６１を含む呼制御系システム１０３，１５３と、ルータ１１９，１６９及びスイッチを含む転送系システム１０４，１５４等により、ＶｏＩＰ（Ｖｏｉｃｅ  ｏｖｅｒ  ＩＰ）を用いて音声情報を転送するＩＰ網１０２，１５２において、ルータ１１９，１６９が、パケットを受信して通話呼を認識し、通話呼を分析し、データベース１３０−１〜１３０−４，１８０−１，１８０−２を参照して優先順位を規定する優先呼パラメータを求め、当該優先パラメータの値に基づいて当該パケットを廃棄する等の処理を行うようにした。これにより、転送系システム１０４，１５４において呼を認識し、転送処理するようにしたから、ＩＰ電話サービスの品質条件に則した品質制御を実現できる。従来は、転送系システム４，５４においてパケットに対する優先度によりパケットの廃棄を行っていたため、このパケットの優先度は必ずしもＩＰ電話サービスの優先度とは一致しておらず、音声通信中のパケットも廃棄の対象としていたため音声品質が劣化していた。本発明の実施の形態によれば、ＩＰ電話における優先度と一致した制御が可能になるから、音声通信中のパケットを廃棄することはなく、音声品質を保つことが可能となる。
【００２９】
以上、実施の形態を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【００３０】
上記実施の形態では、ルータ１１９が呼制御プロトコルとして複数のプロトコルのうちのＳＩＰを認識し、ルータ１６９が複数のプロトコルのうちのＭＥＧＡＣＯを認識するようにしたが、ルータが認識するプロトコルは、使用するネットワークによって異なるものであり、ＳＩＰまたはＭＥＧＡＣＯのいずれか一方のみを認識するようにしてもよいし、両方を認識するようにしてもよい。
【００３１】
また、上記実施の形態では、ルータ１１９，１６９に信号解析機能部を備えるようにしたが、当該信号解析機能部を、ルータ１１９，１６９の外付けのサーバに備えるようにしてもよく、ルータ１１９，１６９よりも加入者Ａ電話機１１７，１６７寄りの装置に付属させるようにしてもよい。また、信号解析機能部、データベース１３０−１〜１３０−４，１８０−１，１８０−２及びルーチング処理部のうちの少なくとも一つ（信号解析機能部が実行する処理の一部、複数のデータベースのうちの一部であってもよい）を外付けのサーバに備えるようにしてもよい。この場合、ルータ１１９，１６９と外付けのサーバとが連携して制御を行う。
【００３２】
また、ルータ１１９，１６９の信号解析機能部が、ＳＩＰやＭＥＧＡＣＯプロトコルによる信号内の各種の優先パラメータ（例えば、ＳＩＰの場合はｐｒｉｏｒｉｔｙヘッダ）やその他のパラメータ全てを分析し、発番号及び着番号等と共に組み合わせることによって、呼の分析を行うようにしてもよい。
【００３３】
また、前述の５）の手順において、ＣＡ（ＳＳ）１１２またはＭＧＣ１６１が、呼制御プロトコルによる信号のパケットを受信して信号分析及びサービス分析を行い、優先度を変更して新たな優先パラメータを設定し、パケットを送信するようにしてもよい。
【００３４】
また、ルータ１１９，１６９の信号解析機能部は、決定した優先度を優先パラメータとしてパケットのトラヒッククラス（ＴｏＳ値）に設定するようにしたが、ＩＰレイヤに新規に優先度を判別するパラメータを定義して設定するようにしてもよく、ＳＩＰやＭＥＧＡＣＯのプロトコル上に呼のトラヒックを新たに定義して設定するようにしてもよい。
【００３５】
尚、上記ルータ１１９，１６９は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータ装置によってそれぞれ構成されるようにしてもよい。この場合、ルータ１１９，１６９が有する信号解析機能部及びルーチング処理部の各機能は、当該機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００３６】
【図１】従来のＳＩＰを用いたＩＰ電話システムの構成を示す概略図である。
【図２】図１のＩＰ電話システムにおける呼制御の動作フロー図である。
【図３】従来のＭＥＧＡＣＯを用いたＩＰ電話システムの構成を示す概略図である。
【図４】図３のＩＰ電話システムにおける呼制御の動作フロー図である。
【図５】従来のルータにおける優先制御を説明する概略図である。
【図６】本発明の実施の形態に係るＳＩＰを用いたＩＰ電話システムの構成を示す概略図である。
【図７】図６のＩＰ電話システムのルータに備えたデータベースを説明する図である。
【図８】本発明の実施の形態に係るＭＥＧＡＣＯを用いたＩＰ電話システムの構成を示す概略図である。
【図９】図８のＩＰ電話システムのルータに備えたデータベースを説明する図である。
【符号の説明】
【００３７】
１，５１，１０１，１５１  ＰＳＴＮ網
２，５２，１０２，１５２  ＩＰ網
３，５３，１０３，１５３  呼制御系システム
４，５４，１０４，１５４  転送系システム
５，５５，１０５，１５５  加入者宅
１１，１１１  ＣＡ（ＧＷ）
１２，１１２  ＣＡ（ＳＳ）
１３，１１３  アドレス情報サーバ
１４，１５，１１４，１１５  ＭＧ
１６，６６，１１６，１６６  ＮＥ
１７，６７，１１７，１６７  加入者Ａ電話機
１８，６８，１１８，１６８  ＰＳＴＮ電話機
１９，１９−１〜１９−６，６９，６９−１〜６９−６，１１９，１１９−１〜１１９−６，１６９，１６９−１〜１６９−６  ルータ
２０，７０，１２０，１７０  ＩＰ電話システム
６１，１６１  ＭＧＣ
６４，１６４  ＲＧＷ
６５，１６５  ＴＧＷ
１３０，１３０−１〜１３０−４，１８０，１８０−１，１８０−２  データベース
【図１】
2005328223.tif 000003
【図２】
2005328223.tif 000004
【図３】
2005328223.tif 000005
【図４】
2005328223.tif 000006
【図５】
2005328223.tif 000007
【図６】
2005328223.tif 000008
【図７】
2005328223.tif 000009
【図８】
2005328223.tif 000010
【図９】
2005328223.tif 000011